(57)【要約】【課題】安全栓１７の封じ機能を確保できるようにし、また安全栓１７を抜いただけでは起倒杆１４が倒れることのないようにして不慮の消火薬剤噴出事故を防止できる消火器の安全装置を提供する。【解決手段】安全栓１７の張出部２０と起動レバー９の上壁部９ａとにわたって封じ具２２が貫通状にかつ抜け止め状に差し込み装着され、この封じ具２２に、安全栓１７を引き抜くことで再使用不能に引きちぎれる弱体部２３が設けられている。起倒杆１４の自由上端部の一側部もしくは両側部に係合突起が設けられ、この係合突起と起動レバー９の一側壁部９ｃもしくは両側壁部との接触面間で生じる摩擦力で起倒杆１４が起立姿勢の角度位置で傾倒するのを規制し、かつ起倒杆１４は起動レバー９の前記摩擦力に打ち勝つ押下げ力では傾倒するように構成している。【選択図】      図１
2004358043.tif 000002
【特許請求の範囲】
【請求項１】
消火薬剤が充填された本体容器と、この本体容器の上方ヘッド部に固定された固定レバーと、この固定レバーに枢軸回りに開閉回動自在に枢着された起動レバーと、前記固定レバーに対し起立姿勢と傾倒姿勢とにわたって枢軸回りに回動自在に枢着され、その起立姿勢で自由上端部を前記起動レバーの下面側にその長手方向に沿うよう設けた溝内の上壁部下面に対し突っ張り状態に当接させて該起動レバーを開き状態にロックし、傾倒姿勢でその自由上端部を前記上壁部下面から離反して該起動レバーの閉じ回動を許す起倒杆と、前記起動レバーの上壁部に設けた開口にこれの上方から抜き差し可能に差し込まれ、その差し込みにより前記起立姿勢の起倒杆に係合して該起倒杆の傾倒を防止する安全栓と、を備えた消火器の安全装置において、
前記安全栓の封じ具が、前記起動レバーの上壁部とこの上壁部の上に重合する前記安全栓の張出部とにわたって貫通し、かつ抜止め状に差し込み装着されており、この封じ具に、前記安全栓を引き抜くことで再使用不能に引きちぎれる弱体部が設けられていることを特徴とする、消火器の安全装置。
【請求項２】
前記封じ具は、前記安全栓の張出部および前記起動レバーの上壁部にそれぞれ互いに一致するように設けた貫通孔に挿通可能な軸部と、この軸部の上端に張出状に設けられて前記張出部の貫通孔の上端開口部周辺上に重なり合う径大な頭部、および前記軸部の先端に設けられて前記上壁部の貫通孔の下端開口部周辺上に抜け止め状に係合する抜止め膨大部とを有する形に形成するとともに、前記頭部と軸部との連接部、もしくは前記軸部の中間部に前記弱体部を形成している、請求項１記載の消火器の安全装置。
【請求項３】
消火薬剤が充填された本体容器と、この本体容器の上方ヘッド部に固定された固定レバーと、この固定レバーに枢軸回りに開閉回動自在に枢着された起動レバーと、前記固定レバーに対し起立姿勢と傾倒姿勢とにわたって枢軸回りに回動自在に枢着され、その起立姿勢で自由上端部を前記起動レバーの下面側にその長手方向に沿うよう設けた溝内の上壁部下面に対し突っ張り状態に当接させて該起動レバーを開き状態にロックし、傾倒姿勢でその自由上端部を前記上壁部下面から離反して該起動レバーの閉じ回動を許す起倒杆と、前記起動レバーの上壁部に設けた開口にこれの上方から抜き差し可能に差し込まれ、その差込みにより前記起立姿勢の起倒杆に係合して該起倒杆の傾倒を防止する安全栓と、を備えた消火器の安全装置において、
前記起倒杆の自由上端部と、前記起動レバーの溝内の一側壁部もしくは両側壁部との対向面間に、前記起倒杆が起立姿勢の角度位置で傾倒するのを規制する摩擦係合手段が設けられ、かつ該摩擦係合手段による傾倒規制状態が前記起動レバーを閉じ回動することで解除されるように構成されていることを特徴とする、消火器の安全装置。
【請求項４】
前記摩擦係合手段が、前記起倒杆の自由上端部、または前記起動レバーの一側壁部もしくは両側壁部のいずれか一方に突設され、他方に対して擦り合う係合突起により構成されている、請求項３記載の消火器の安全装置。
【発明の詳細な説明】
【０００１】
【発明の属する技術分野】
本発明は、加圧式もしくは蓄圧式の消火器の安全装置に係り、より詳しくは安全栓まわりの構造の改良に関する。
【０００２】
【従来の技術】
たとえば、図６、図７に示すように、この種の消火器の上方ヘッド部に取り付けられた起動レバー９には不時の作動を防止するために安全栓（安全ピン）１７が取り付けられている。安全栓１７は、起動レバー９に設けた開口２１にこれの上方から抜き差し可能に取り付けられる一方、起動レバー９と固定レバー７との間に起動レバー９を開き状態に突っ張ってロックする起倒杆１４が介在されており、安全栓１７が起動レバー９に差し込まれるとともに起倒杆１４に係合すると該起倒杆１４が傾倒防止されて起動レバー９のロック状態を維持する起立姿勢に保持されるように構成されている（例えば、特許文献１参照。）。そして、図７に示すように起動レバー９には、安全栓引抜き確認用の封じ紙４０が安全栓１７を跨いで貼付されている。
かくして、図８に示すように、安全栓１７を引き抜くと、封じ紙４０のミシン目加工部が破れると同時に、起倒杆１４が倒れ、起動レバー９の閉じ回動操作を許容し、この回動操作により消火薬剤を放出できるようになっている。
【０００３】
【特許文献１】
実公昭６２−４３５７１号公報
【０００４】
【発明が解決しようとする課題】
しかるに、安全栓１７を跨いで起動レバー９に封じ紙４０を貼付している上記消火器では、封じ紙４０が消火器輸送途上で振動を受けたり、設置時に他物と接触したりすることで、安全栓１７を引き抜く操作を行っていないにもかかわらず、封じ紙４０のミシン目加工部が千切れてしまって封じ機能を失っていることがあった。
また、安全栓１７を引き抜くと起倒杆１４が倒れてしまう上記消火器では、一度安全栓１７を引き抜くと起倒杆１４が倒れ、再度安全栓１７をセットする場合には起倒杆１４を起こして安全栓１７を起動レバー９の開口２１から差し込んで起倒杆１４に係合する必要がある。しかしながら、こうした操作に精通していない人や悪戯行為者等が安全栓１７を引き抜くと、起倒杆１４が倒れたままの状態で安全栓１７を起動レバー９の開口２１に差し込んだ状態を正常なセット状態であると勘違いし、その状態で放置していた。かかる放置状態下では、不慮に消火器が起動レバー９を閉じるように転倒したり、ユーザーが、そのような安全栓１７の不完全なセット状態にあることを気付かないまま起動・固定レバー９・７を握って消火器を移動させたりすると、消火薬剤が放出してしまうという不慮の事故に遭遇することがあった。
このような事由によりユーザーとメーカーとの間でトラブルの発生を招いていた。
【０００５】
本発明は、上記のような問題を解消するためになされたものであり、その目的とするところは、従来の封じ紙のごとく輸送途上等で不用意に封じ機能を失うことがなくて安全栓の封じ機能を確保できるようにし、また安全栓を抜いただけでは起倒杆が倒れることのない安全対策を講じることにより不慮の消火薬剤放出事故を防止できるようにし、もってユーザーとメーカー間でのトラブル発生の減少を図れる消火器の安全装置を提供することにある。
【０００６】
【課題を解決するための手段】
本発明の前提とする消火器の安全装置は、消火薬剤が充填された本体容器（１）と、この本体容器の上方ヘッド部に固定された固定レバー（７）と、この固定レバーに枢軸（８）回りに開閉回動自在に枢着された起動レバー（９）と、前記固定レバーに対し起立姿勢と傾倒姿勢とにわたって枢軸（１６）回りに回動自在に枢着され、その起立姿勢で自由上端部（１４ａ）を前記起動レバー（９）の下面側にその長手方向に沿うよう設けた溝（１０）内の上壁部（９ａ）下面に対し突っ張り状態に当接させて該起動レバー（９）を開き状態にロックし、傾倒姿勢でその自由上端部（１４ａ）を前記上壁部（９ａ）下面から離反して該起動レバー（９）の閉じ回動を許す起倒杆（１４）と、前記起動レバー（９）の上壁部（９ａ）に設けた開口（２１）にこれの上方から抜き差し可能に差し込まれ、その差込みにより前記起立姿勢の起倒杆（１４）に係合して該起倒杆（１４）の傾倒を防止する安全栓（１７）と、を備えたものである。
【０００７】
そのうえで、請求項１に係る発明は、前記安全栓（１７）の封じ具（２２）が、前記起動レバー（９）の上壁部（９ａ）とこの上壁部の上に重合する前記安全栓（１７）の張出部（２０）とにわたって貫通し、かつ抜止め状に差し込み装着されており、この封じ具（２２）に、前記安全栓（１７）を引き抜くことで再使用不能に引きちぎれる弱体部（２３）が設けられていることに特徴を有するものである。
この場合において、前記封じ具（２２）は、請求項２記載の発明のように、前記安全栓（１７）の張出部（２０）および前記起動レバー（９）の上壁部（９ａ）にそれぞれ互いに一致するように設けた貫通孔（２４）（２５）に挿通可能な軸部（２６）と、この軸部の上端に張出状に設けられて前記張出部（２０）の貫通孔（２４）の上端開口部周辺上に重なり合う径大な頭部（２７）、および前記軸部（２６）の先端に設けられて前記上壁部（９ａ）の貫通孔（２５）の下端開口部周辺上に抜け止め状に係合する抜止め膨大部（２８）とを有する形に形成するとともに、前記頭部（２７）と軸部（２６）との連接部、もしくは前記軸部（２６）の中間部に前記弱体部（２３）を形成することができる。
【０００８】
請求項３に係る発明は、前記起倒杆（１４）の自由上端部（１４ａ）と、前記起動レバー（９）の溝（１０）内の一側壁部（９ｂ又は９ｃ）、もしくは両側壁部（９ｂ）（９ｃ）との対向面間に、前記起倒杆（１４）が起立姿勢の角度位置で傾倒するのを規制する摩擦係合手段（３１）が設けられ、かつ該摩擦係合手段（３１）による傾倒規制状態が前記起動レバー（９）を閉じ回動することで解除されるように構成されていることに特徴を有するものである。
この場合において、請求項４記載の発明のように、前記摩擦係合手段（３１）は、前記起倒杆（１４）の自由上端部（１４ａ）、または前記起動レバー（９）の一側壁部（９ｂ又は９ｃ）もしくは両側壁部（９ｂ）（９ｃ）のいずれか一方に突設され、他方に対して擦り合う係合突起（３２）により構成することができる。
【０００９】
【作用】
請求項１、２に係る発明によれば、封じ具は安全栓の張出部と起動レバーの上壁部とにわたって貫通し、かつ抜止め状に差し込まれる装着形態を採っているので、従来の封じ紙のごとく輸送途上の振動等で不用意に弱体部がちぎれて封じ機能を失うようなことはなくて封じ機能を確実に維持できる。
【００１０】
請求項３、４に係る発明によれば、起倒杆の自由上端部と起動レバーの一側壁部もしくは両側壁部との対向面間に設けた摩擦係合手段により、起倒杆が起立姿勢の角度位置で傾倒するのを規制しているので、安全栓が抜かれだけでは起倒杆は倒れることがない。したがって、誤ってあるいは悪戯等により安全栓が抜かれたまま放置されても起動レバーは不用意に作動することはなく、また安全栓が一旦抜かれても起倒杆は倒れていないので、再度安全栓は元通り起倒杆に差し込み係合することが可能となるため、その後のユーザーによる消火器の移動等の取扱過程や消火器の不慮の転倒等により消火薬剤が不用意に放出するという事故を防止できることになる。
【００１１】
【発明の実施の形態】
以下、本発明の好適な実施形態を図面に基づき説明する。図１は本発明の一実施例を示す消火器の安全装置の縦断面図、図２は安全栓を抜いた直後の状態を図１に対応して示す縦断面図、図３は図１におけるＡ矢視図、図４の（ａ）は封じ具の平面図、同図の（ｂ）は封じ具のＢ−Ｂ線断面図、同図の（ｃ）は封じ具の底面図である。
【００１２】
図１において、消火薬剤が充填される本体容器１の上方ヘッド部にはバルブ２をバルブキャップ３で取り付け、バルブ２の下面側には消火薬剤を放射する圧力源である加圧用ガス容器４が固定されており、加圧用ガス容器４の上方のバルブ２内には、使用時に加圧用ガス容器４の封板５を破るために下端６ａを尖らせた破壊針棒６が上下動自在に組み込まれている。バルブ２の上部には固定レバー７と、この固定レバー７の上方に対向配備され、該固定レバー７の基部に枢軸８により基部を回動自在に枢着された起動レバー９とが設けられている。起動レバー９はその下面側に溝１０をその長手方向に沿って形成すべく上壁部９ａと両側壁部９ｂ，９ｃとを有する断面溝形状に形成されている。破壊針棒６の上端は起動レバー９の一部９ｄに係止されている。
【００１３】
また、バルブ２の下面側にはサイホン管１１が取り付けられ、バルブ２の一側部に消火器ホース１２が接続され、サイホン管１１の上方のバルブ２内にはサイホン管１１の上端と消火器ホース１２とを連通する連通路１３が形成されている。
【００１４】
起動レバー９の不用意な作動を防止するために起倒杆１４が設けられている。この起倒杆１４は、耐摩耗性に優れるポリアセタール系樹脂やポリアミド系樹脂等のプラスチック成形品であって、その上方が自由上端部１４ａとされ、前後に栓受け溝１５，１５が上下縦方向に形成されるとともに、その下端基部１４ｂが固定レバー７に対して枢軸１６をもって枢着されている。かくして起倒杆１４は、自由上端部１４ａを起動レバー９の上壁部９ａの下面に対し突っ張り状態に当接して該起動レバー９を開き姿勢にロックする起立姿勢と、起動レバー９の閉じ回動に伴い自由上端部１４ａが上壁部９の下面を滑りながら固定レバー７の上に倒れる傾倒姿勢とにわたって枢軸１６回りに回動自在である。
【００１５】
起倒杆１４の倒れを防止するための安全栓１７は、金属棒からなる２本の直線部１８ａ，１８ｂと、この直線部１８ａ、１８ｂの上端に連続して環状に曲げられた環状部１８ｃとを有し、環状部１８ｃにはプラスチック製の把手１９を一体に被覆成形してなる。把手１９の下端には起動レバー９の上壁部９ａ上に当接重合する張出部２０を一体に形成している。この安全栓１７は２本の直線部１８ａ、１８ｂを起動レバー９の上壁部９ａに設けた開口２１の上方から差し込まれ、起倒杆１４の栓受け溝１５，１５に挿入係合することにより該起倒杆１４の傾倒を防止する。
【００１６】
本発明は、上記構成の消火器において、安全栓１７の封じ具２２が安全栓１７の張出部２０と、起動レバー９の上壁部９ａとにわたって貫通し、かつ抜止め状に差し込み装着されており、この封じ具２２に、安全栓１７を引き抜くことで再使用不能に引きちぎれる弱体部２３が設けられていることに特徴を有する。
【００１７】
具体的には、封じ具２２はプラスチック成形品であって、図１および図４の（ａ）〜（ｃ）に示すように、安全栓１７の張出部２０および起動レバー９の上壁部９ａにそれぞれ互いに一致するように設けた貫通孔２４・２５に挿通可能な軸部２６と、この軸部２６の上端に張出部２０の貫通孔２４の孔径より径大に張り出すよう設けられて、貫通孔２４の上端開口部周辺上に重なり合う頭部２７、および軸部２６の先端に上壁部９ａの貫通孔２５の孔径より僅かに径大に張り出すよう設けられて、貫通孔２５の下端開口部周辺上に抜け止め状に係合する抜止め膨大部２８とを有する形に形成するとともに、軸部２６の中間部に引きちぎり易い弱体部２３を括れ状に形成している。封じ具２２の先端の抜止め膨大部２８は先細のテーパ２８ａを付けた形に形成するとともに、弱体部２３より先側の軸部２６は割り溝２９を入れて弾性変形し易く形成する。これによって、封じ具２２の軸部２６先端の抜止め膨大部２８が起動レバー９の貫通孔２５に対して弾性により縮径変形しながら挿入し易く、挿入後は抜止め膨大部２８が弾性復元作用により拡径して貫通孔２５の下端開口部周辺上に抜止め状に係合できるようになっている。
【００１８】
封じ具２２の弱体部２３は、上記実施例に代えて、図５の（ａ）〜（ｃ）に示すように、軸部２６の上端部２６ａと頭部２７との連接部、すなわち軸部２６の上端部２６ａの周面と頭部２７の孔２７ａの内周面との間が、安全栓１７を引き抜くことで引きちぎれる細い繋がり部３０でつながれた形に形成するものであってもよい。なお、図５に示す封じ具２２の弱体部２３以外の他の構成は図４の封じ具２２の場合と同様に構成される。
【００１９】
また、本発明は、図３に示すように、起倒杆１４の自由上端部１４ａと、起動レバー９の下面側に設けた溝１０内の一側壁部９ｂ又は９ｃ、もしくは両側壁部９ｂ，９ｃとの対向面間に、起倒杆１４が起立状態に保持されて倒れるのを規制する摩擦係合手段３１を設けてあることに特徴を有する。摩擦係合手段３１は、図３に示す具体例では、起倒杆１４の自由上端部１４ａの両側部に係合突起３２，３２を一体に突設し、起倒杆１４が起立姿勢の角度位置にあるとき該係合突起３２，３２が起動レバー９の両側壁部９ｂ，９ｃの各内面に対して強く擦り合って、この擦り合いにより生じる摩擦力により起倒杆１４が、安全栓１７に依存することなく、それ自身でも自由に倒れることがないように構成されている。
図示省略するが、係合突起３２は起倒杆１４の自由上端部１４の一側部のみに突設し、この係合突起３２を起動レバー９の一側壁部９ｂ又は９ｃの内面に対し強く擦り合うように構成することもできる。
ただし、かかる起動レバー９の一側壁部９ｂ又は９ｃ、もしくは両側壁部９ｂ，９ｃの内面と係合突起３２との接触面間に生じる摩擦力による起倒杆１４の傾倒規制状態は、起動レバー９を閉じ回動操作するとこの回動操作で解除されるように設定される。
【００２０】
上記実施例では起倒杆１４の自由上端部１４ａに係合突起３２を設けるが、それとは反対に、係合突起３２は起動レバー９の一側壁部９ｂ又は９ｃの内面、もしくは両側壁部９ｂ，９ｃの各内面に設けることもできる。
【００２１】
上記構成の消火器の安全装置において、封じ具２２は安全栓１７の張出部２０と起動レバー９の上壁部９ａとにわたって貫通し、かつ抜止め状に差し込み装着されているので、従来の封じ紙のごとく輸送途上の振動等で不用意に弱体部２３がちぎれて封じ機能を失うようなことはなくて封じ機能を確実に維持できる。
【００２２】
図２に示すように、安全栓１７を引き抜くと、安全栓１７の張出部２０により封じ具２２に引き上げ力が加えられ、弱体部２３に引き上げ応力が集中することで引きちぎられるが、起倒杆１４は摩擦係合手段３１により倒れることはない。したがって、誤ってあるいは悪戯等により安全栓１７が抜かれたまま放置されても起動レバー９は不用意に作動することはなく、また安全栓１７が一旦抜かれても起倒杆１７は倒れていないので、再度安全栓１７が差し戻されると、安全栓１７は元通り起倒杆１４の栓受け溝１５に差し込み係合することが可能になるため、その後にユーザーにより消火器を移動させる等の取扱過程や消火器が不慮に転倒する等によっても消火薬剤が不用意に放出するという事故を防止できる。
【００２３】
本発明の対象とする消火器は、加圧用ガス容器４の作動により生じる圧力により消火薬剤を放射するという上記加圧式消火器に限られず、本体容器１に消火薬剤と共に充填する圧縮空気あるいは窒素ガス等の圧力により消火薬剤を放射する蓄圧式消火器の安全装置にも同様に適用できる。
【００２４】
【発明の効果】
本発明によれば、安全栓の張出部と起動レバーとにわたって貫通しかつ抜止め状に差し込まれた封じ具により従来の封じ紙のごとく輸送途上等で不用意に封じ機能を失うことがないようにしてあるので、安全栓の封じ機能を確保でき、また起倒杆の自由上端部と起動レバーの一側壁部もしくは両側壁部との対向面間に設けた摩擦係合手段により安全栓を抜いただけでは起倒杆が倒れることのないようにしてあるので、不慮の消火薬剤放出事故を防止でき、延いてはユーザーとメーカー間でのトラブル発生を減少できるという利点がある。
【図面の簡単な説明】
【図１】本発明の一実施例を示す消火器の安全装置の縦断面図である。
【図２】安全栓を抜いた直後の状態を図１に対応して示す縦断面図である。
【図３】図１におけるＡ矢視図である。
【図４】（ａ）は封じ具の平面図、（ｂ）は封じ具のＢ−Ｂ線断面図、（ｃ）は封じ具の底面図である。
【図５】（ａ）は他例の封じ具の平面図、（ｂ）は他例の封じ具のＣ−Ｃ線断面図、（ｃ）は他例の封じ具の底面図である。
【図６】従来例の消火器の安全装置の縦断面図である。
【図７】従来例の消火器の安全装置の側面図である。
【図８】図７の消火器の安全装置を安全栓を抜いた直後の状態で示す側面図である。
【符号の説明】
１  本体容器
７  固定レバー
８  起動レバーの枢軸
９  起動レバー
９ａ  起動レバーの上壁部
９ｂ，９ｃ  起動レバーの両側壁部
１０  溝
１４  起倒杆
１６  起倒杆の枢軸
１７  安全栓
２０  張出部
２１  開口
２２  封じ具
２３  弱体部
２４  張出部の貫通孔
２５  起動レバーの貫通孔
２６  軸部
２７  頭部
２８  抜止め膨大部
３１  摩擦係合手段
３２  係合突起
【図１】
2004358043.tif 000003
【図２】
2004358043.tif 000004
【図３】
2004358043.tif 000005
【図４】
2004358043.tif 000006
【図５】
2004358043.tif 000007
【図６】
2004358043.tif 000008
【図７】
2004358043.tif 000009
【図８】
2004358043.tif 000010